(57)【要約】【課題】裏面に粘着面が形成されている記録紙を正常に搬送し、印刷することができるプリンタ装置を提供する。【解決手段】印刷ヘッドを有するヘッドユニットと、プラテンローラと、前記プラテンローラを回転可能に支持する支持部を有するプラテンユニットと、前記プラテンユニットに設けられ、記録紙の搬送に伴い前記記録紙と接して回転するローラ部を有するガイドローラと、を有することを特徴とするプリンタ装置により上記課題を解決する。【選択図】  図７
2019217635.tif 000002
【特許請求の範囲】
【請求項１】
印刷ヘッドを有するヘッドユニットと、
プラテンローラと、
前記プラテンローラを回転可能に支持する支持部を有するプラテンユニットと、
前記プラテンユニットに設けられ、記録紙の搬送に伴い前記記録紙と接して回転するローラ部を有するガイドローラと、を有することを特徴とするプリンタ装置。
【請求項２】
前記プラテンローラのプラテンシャフトに設けられたプラテンギアと、
前記ガイドローラのシャフトに設けられたローラギアと、
前記プラテンギア及び前記ローラギアと噛み合う伝達ギアと、を有し、
前記プラテンローラの回転は、前記プラテンギア、前記伝達ギア、前記ローラギアを順に介し、前記ガイドローラに伝達されることを特徴とする請求項１に記載のプリンタ装置。
【請求項３】
前記ローラ部は、前記ローラ部の回転軸側の根本部分よりも、前記回転軸より離れた先端部分の幅が狭くなっていることを特徴とする請求項１または２に記載のプリンタ装置。
【請求項４】
前記ローラ部は、前記記録紙と接触する面に凹凸が形成されていることを特徴とする請求項１から３のいずれかに記載のプリンタ装置。
【請求項５】
前記ガイドローラは、
前記プラテンユニットの前記印刷ヘッド及び前記プラテンローラに記録紙を供給する側に配置される第１のガイドローラと、
前記プラテンユニットの記録紙を排出する側に配置される第２のガイドローラと、を含むことを特徴とする請求項１から４のいずれかに記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなプリンタでは、記録紙である感熱紙を搬送してサーマルヘッドにより印字を行なう。
【０００３】
このようなプリンタ装置には、プリンタ本体に回動可能に支持された蓋が設けられており、蓋を開くことによりプリンタ本体内の記録紙ホルダにロール状の記録紙を入れることができる。
【先行技術文献】
【特許文献】
【０００４】
【特許文献１】特開２０１７−５２２１３号公報
【特許文献２】特開２００１−１３０８００号公報
【発明の概要】
【発明が解決しようとする課題】
【０００５】
プリンタ装置において、記録紙に印字をする際には、サーマルヘッドとプラテンローラとの間に記録紙を挟み、プラテンローラを回転させることにより、記録紙を搬送し、サーマルヘッドにより印字を行う。ところで、記録紙には、表面が感熱面、裏面が粘着面の記録紙があり、その中には、粘着面に台紙が付されていないものがある。台紙の付されていない記録紙では、プラテンローラの近傍の記録紙ガイドに記録紙の粘着面が付着する可能性がある。粘着面が記録紙ガイドなどに付着してしまうと、記録紙が正常に搬送されず、記録紙に印刷がされない場合がある。
【課題を解決するための手段】
【０００６】
本実施の形態の一観点によれば、印刷ヘッドを有するヘッドユニットと、プラテンローラと、前記プラテンローラを回転可能に支持する支持部を有するプラテンユニットと、前記プラテンユニットに設けられ、記録紙の搬送に伴い前記記録紙と接して回転するローラ部を有するガイドローラと、を有することを特徴とする。
【発明の効果】
【０００７】
本開示のプリンタ装置によれば、裏面に粘着面が形成されている記録紙を正常に搬送し、印刷することができる。
【図面の簡単な説明】
【０００８】
【図１】プリンタ装置の斜視図
【図２】プラテンユニットの斜視図
【図３】プリンタ装置の要部の断面図
【図４】第１の実施の形態のプリンタ装置の斜視図
【図５】第１の実施の形態のプラテンユニットの斜視図
【図６】第１の実施の形態のプリンタ装置の要部の断面図
【図７】第１の実施の形態のプリンタ装置の蓋が閉じている状態の説明図
【図８】第１の実施の形態のプリンタ装置の蓋が開いている状態の説明図
【図９】第１の実施の形態のガイドローラの斜視図
【図１０】第１の実施の形態のガイドローラの上面図
【図１１】第１の実施の形態のガイドローラの変形例１の説明図
【図１２】第１の実施の形態のガイドローラの変形例２の説明図
【図１３】第２の実施の形態のプリンタ装置の斜視図
【図１４】第２の実施の形態のプラテンユニットの斜視図
【図１５】第２の実施の形態のプリンタ装置の要部の断面図
【図１６】第３の実施の形態のプリンタ装置の説明図（１）
【図１７】第３の実施の形態のプリンタ装置の説明図（２）
【発明を実施するための形態】
【０００９】
本発明を実施するための形態について、以下に説明する。尚、同じ部材等については、同一の符号を付して説明を省略する。
【００１０】
〔第１の実施の形態〕
サーマルヘッドを用いたプリンタ装置について図１から図３に基づき説明する。図１は、プリンタ装置の斜視図であり、図２は、プリンタ装置のプラテンユニットの斜視図であり、図３は、プリンタ装置の要部の断面図である。
【００１１】
図１から図３に示すプリンタ装置は、印刷ヘッド１０、プラテンローラ２０、プラテンローラ２０を回転可能に支持する支持部３０を有している。印刷ヘッド１０はヘッドユニット４０に取り付けられており、プラテンローラ２０及び支持部３０によりプラテンユニット５０が形成されている。
【００１２】
ヘッドユニット４０とプラテンユニット５０とを接続することにより、図３に示されるように、ヘッドユニット４０の印刷ヘッド１０とプラテンユニット５０のプラテンローラ２０とが接触する。記録紙１００は、印刷ヘッド１０とプラテンローラ２０との間に挟まれた状態でプラテンローラ２０を回転させることにより搬送され、印刷ヘッド１０により印刷がなされる。尚、記録紙１００は、支持部３０に形成された記録紙ガイド３１とヘッドユニット４０側の記録紙ガイド４１との間を通り、印刷ヘッド１０とプラテンローラ２０との間に向けて搬送される。
【００１３】
ところで、記録紙１００の表面１００ａが感熱面、裏面１００ｂが粘着面である場合、記録紙１００は表面１００ａが印刷ヘッド１０側となり、裏面１００ｂがプラテンローラ２０側となる。プラテンローラ２０がシリコンを含む樹脂材料により形成されている場合には、裏面１００ｂの粘着面はプラテンローラ２０に付着しにくく、付着しても比較的剥がれやすい。しかし、記録紙ガイド３１に記録紙１００の粘着面が付着すると、プラテンローラ２０の回転では記録紙１００を搬送することができなくなる場合がある。特に、支持部３０は強度を保つため樹脂や金属により形成されているが、これらの材料は、記録紙１００の粘着面が一度付着すると比較的剥がれにくい材料であるため、記録紙１００の搬送ができなくなる場合がある。
【００１４】
（プリンタ装置）
次に、第１の実施の形態のプリンタ装置について、図４〜図６に基づき説明する。図４は、本実施の形態のプリンタ装置の要部の斜視図であり、図５は、本実施の形態のプリンタ装置のプラテンユニットの斜視図であり、図６は、本実施の形態のプリンタ装置の要部の断面図である。
【００１５】
本実施の形態のプリンタ装置は、サーマルヘッド等の印刷ヘッド１０、プラテンローラ２０、プラテンローラ２０を回転可能な状態で支持する支持部１３０を有している。印刷ヘッド１０はヘッドユニット４０に取り付けられており、プラテンユニット１６０は、プラテンローラ２０、支持部１３０、ガイドローラ１５０を備える。本実施の形態では、ガイドローラ１５０は、支持部１３０に回転可能に取り付けられており、ガイドローラ１５０は、印刷ヘッド１０とプラテンローラ２０との間に入る前段、即ち、印刷ヘッド１０及びプラテンローラ２０の間に記録紙１００が供給される側に配置されている。
【００１６】
また、ヘッドユニット４０のガイドローラ１５０と対向する側には記録紙ガイド４１が設けられている。搬送される記録紙１００は、ガイドローラ１５０と記録紙ガイド４１との間を通り、印刷ヘッド１０とプラテンローラ２０との間に向けて搬送される。
【００１７】
本実施の形態のプリンタ装置は、例えば、図７及び図８に示されるように、プリンタ本体１７０と、プリンタ本体１７０に回転軸１８１を中心に回動可能に取り付けられた蓋１８０とを有している。図７は、蓋１８０が閉じた状態のプリンタ装置の断面図であり、図８は、蓋１８０を開いた状態のプリンタ装置の断面図である。本実施の形態のプリンタ装置では、プリンタ本体１７０にヘッドユニット４０が取り付けられており、蓋１８０にプラテンユニット１６０が取り付けられている。蓋１８０の開閉によって、ヘッドユニット４０に対してプラテンユニット１６０を着脱することができる。また、蓋１８０を閉じることにより印刷ヘッド１０とプラテンローラ２０とが接触し、記録紙１００に印刷が可能な状態となる。なお、プリンタ本体１７０の内部には、ロール状の記録紙１００が収納可能である。
【００１８】
図９に示されるように、プラテンユニット１６０のガイドローラ１５０は、回転軸となるシャフト１５１の周囲にローラ部１５２が取り付けられている。
【００１９】
本実施の形態のプリンタ装置では、図８に示されるように、蓋１８０を開き、プリンタ本体１７０の内部に記録紙１００を入れ、蓋１８０を閉じる。この際、印刷ヘッド１０とプラテンローラ２０との間に挟まれる位置まで記録紙１００を引き出した状態で、蓋１８０を閉じる。この後、プラテンローラ２０を回転させることにより、記録紙１００を搬送しながら印刷ヘッド１０により印刷がなされる。この際、ローラ部１５２の先端部分には裏面１００ｂの粘着面が付着するが、ガイドローラ１５０はシャフト１５１を中心に破線矢印Ａに示す方向に回転するため、粘着面が付着しても記録紙１００の搬送を妨げることはない。
【００２０】
また、ローラ部１５２は、図１０に示すように、シャフト１５１側の根本部１５２ａの幅Ｗ１よりも、シャフト１５１より離れた先端部１５２ｂの幅Ｗ２が狭くなるように形成されている。ローラ部１５２を山形に形成することにより、先端部１５２ｂに記録紙１００の粘着面が付着しても、ローラ部１５２と粘着面との付着面積が狭くなるため、ローラ部１５２に付着した粘着面をローラ部１５２から容易に剥がすことができ、記録紙１００の搬送に影響を与えることはない。
【００２１】
ローラ部１５２は、ゴム、樹脂材料、金属等により形成されている。ガイドローラ１５０は、ローラ部１５２とシャフト１５１とが一体となり回転するものであってもよい。この場合、ガイドローラ１５０は、ローラ部１５２とシャフト１５１とが同じ材料により一体に形成されているものであってもよい。また、シャフト１５１がプラテンユニット１６０に固定され、固定されたシャフト１５１の周囲をローラ部１５２が回転するものであってもよい。
【００２２】
また、図１１に示されるように、本実施の形態のプリンタ装置のガイドローラ１５０ａは、１つのローラ部１５３に複数の山形形状の先端部１５３ａ、１５３ｂが設けられているものであってもよい。
【００２３】
また、図１２に示されるように、本実施の形態のプリンタ装置のガイドローラ１５０ｂは、ローラ部１５４の裏面１００ｂと接触する面１５４ａに、シボ加工により凹凸が形成されているものであってもよい。
【００２４】
〔第２の実施の形態〕
次に、第２の実施の形態のプリンタ装置について、図１３〜図１５に基づき説明する。図１３は、本実施の形態のプリンタ装置の要部の斜視図であり、図１４は、本実施の形態のプリンタ装置のプラテンユニットの斜視図であり、図１５は、本実施の形態のプリンタ装置の要部の断面図である。
【００２５】
本実施の形態のプリンタ装置は、プラテンユニット２６０は、プラテンローラ２０、支持部２３０、ガイドローラ１５０、ガイドローラ２５０を有する。プラテンユニット２６０において、プラテンローラ２０の前段にガイドローラ１５０が設けられており、後段にガイドローラ２５０が設けられている。
【００２６】
ガイドローラ２５０は、ガイドローラ１５０と同様の構造のものであり、図１４に示されるように、回転軸となるシャフト２５１の周囲にローラ部２５２が取り付けられている。
【００２７】
本実施の形態において、ガイドローラ１５０は、印刷ヘッド１０及びプラテンローラ２０に記録紙を供給する上流側に配置されており、ガイドローラ２５０は、記録紙を排出する下流側に配置されている。図１５に示されるように、記録紙１００を搬送する際にはプラテンローラ２０は時計回りに回転するが、これに伴い、プラテンローラ２０の前段に設けられたガイドローラ１５０は、記録紙１００と接触して破線矢印Ａに示すように時計回りに回転し、プラテンローラ２０の後段に設けられたガイドローラ２５０は、記録紙１００と接触して破線矢印Ｂに示すように時計回りに回転する。
【００２８】
ガイドローラ２５０が設けられていない場合、印刷ヘッド１０により印刷された記録紙１００が、静電気や記録紙１００の巻き癖によりプラテンローラ２０に巻き付く、あるいはプラテンローラ２０と支持部２３０との間に入り込み詰まってしまう場合がある。一方、ガイドローラ２５０を設けることにより、このように記録紙１００が詰まることを防ぐことができる。
【００２９】
尚、上記以外の内容については、第１の実施の形態と同様である。
【００３０】
〔第３の実施の形態〕
次に、第３の実施の形態のプリンタ装置について、図１６〜図１７に基づき説明する。図１６は、本実施の形態のプリンタ装置の側面側の要部の説明図であり、図１７は、要部の上面図である。本実施の形態のプリンタ装置は、プラテンローラ２０の回転をガイドローラ１５０に伝達する伝達ギア３６０が設けられている。
【００３１】
本実施の形態のプリンタ装置においては、プラテンローラ２０の回転軸となるプラテンシャフト２１の端に、プラテンローラ２０とともに回転するプラテンギア３２０が設けられている。またガイドローラ１５０のシャフト１５１の端に、ガイドローラ１５０とともに回転するローラギア３５０が設けられている。さらに、プラテンギア３２０とローラギア３５０はともに伝達ギア３６０と噛み合っている。
【００３２】
図１６において、プラテンローラ２０が記録紙を搬送するために破線矢印Ｃに示すように時計回りに回転すると、これに伴いプラテンギア３２０も時計回りに回転する。プラテンギア３２０と伝達ギア３６０とは噛み合っているため、プラテンギア３２０が時計回りに回転すると、伝達ギア３６０が破線矢印Ｄに示すように反時計回りに回転する。また、伝達ギア３６０とローラギア３５０とは噛み合っているため、伝達ギア３６０が反時計回りに回転すると、ローラギア３５０は破線矢印Ｅに示すように時計回りに回転する。ローラギア３５０はシャフト１５１の端に設けられているため、ローラギア３５０が時計回りに回転すると、これに伴いローラ部１５２も時計回りに回転する。それにより、ガイドローラ１５０が用紙の搬送をアシストする搬送ローラとしての機能をもつことができる。
【００３３】
尚、上記以外の内容については、第１の実施の形態と同様である。
【００３４】
以上、本発明の実施に係る形態について説明したが、上記内容は、発明の内容を限定するものではない。
【符号の説明】
【００３５】
１０        印刷ヘッド
２０        プラテンローラ
４０        ヘッドユニット
１００      記録紙
１３０      支持部
１５０      ガイドローラ
１５１      シャフト
１５２      ローラ部
１６０      プラテンユニット
１７０      プリンタ本体
１８０      蓋
【図１】
2019217635.tif 000003
【図２】
2019217635.tif 000004
【図３】
2019217635.tif 000005
【図４】
2019217635.tif 000006
【図５】
2019217635.tif 000007
【図６】
2019217635.tif 000008
【図７】
2019217635.tif 000009
【図８】
2019217635.tif 000010
【図９】
2019217635.tif 000011
【図１０】
2019217635.tif 000012
【図１１】
2019217635.tif 000013
【図１２】
2019217635.tif 000014
【図１３】
2019217635.tif 000015
【図１４】
2019217635.tif 000016
【図１５】
2019217635.tif 000017
【図１６】
2019217635.tif 000018
【図１７】
2019217635.tif 000019